【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
使い捨て／リサイクル可能パレットによって支持されたパッケージでできた荷物を製造するためのシステムにおいて、
ａ）ラッピングされていない複数のパレット化したパッケージ層を製造するための少なくとも一つのパレッタイザーを含む少なくとも一つのパレット化ステーション、
ｂ）前記少なくとも一つのパレット化ステーションの下流に配置された、少なくとも一つの水平ストレッチラッパーを含む水平ラッピングステーションであって、前記少なくとも一つのパレット化ステーション及び前記水平ラッピングステーションは、水平にラッピングした少なくとも一つのパレット化したパッケージ層を製造する、水平ラッピングステーション、
ｃ）前記水平ラッピングステーション及び前記少なくとも一つのパレット化ステーションの下流に配置され、これらのステーションにアクセスできる積み重ねステーションであって、前記水平にラッピングした少なくとも一つのパレット化したパッケージ層及び前記ラッピングされていない複数のパレット化したパッケージ層を受け取り、前記ラッピングされていない複数のパレット化したパッケージ層を互いに及び前記水平にラッピングした少なくとも一つのパレット化したパッケージ層の上に重ねるリフトを含む、積み重ねステーション、及び
ｄ）前記水平にラッピングした少なくとも一つのパレット化したパッケージ層の底面にベースを固定的に付与し、これによって前記使い捨て／リサイクル可能パレットを形成するベースアプリケーターを含む、システム。
【請求項２】
請求項１に記載のシステムにおいて、前記少なくとも一つの水平ストレッチラッパーは、水平可撓性フィルム軸線に沿って配向された少なくとも一つの可撓性フィルム供給装置を含み、前記水平ラッピングステーションは、前記水平にラッピングした少なくとも一つのパレット化した層を、前記水平にラッピングしたパレット化した層の第１水平軸線及び第２水平軸線の一方が前記水平可撓性フィルム軸線と平行であるように再配向する回転装置を更に含み、前記第１水平軸線は前記第２水平軸線に対して略垂直である、システム。
【請求項３】
水平にラッピングした少なくとも一つのパレット化したパッケージ層及びベースを含む使い捨て／リサイクル可能パレットによって支持されたパッケージでできた荷物を製造するためのシステムにおいて、
ａ）少なくとも一つのパレッタイザーを有する第１パレット化ステーション、
ｂ）前記第１パレット化ステーションの下流に配置された、少なくとも一つの可撓性フィルム供給装置を持つ少なくとも一つの水平ストレッチラッパーを含む水平ラッピングステーションであって、前記第１パレット化ステーションの前記パレッタイザー及び前記水平ラッピングステーションは前記水平にラッピングした少なくとも一つのパレット化したパッケージ層を製造し、前記可撓性フィルムは、前記水平にラッピングしたパレット化したパッケージ層の第１水平軸線及び第２水平軸線を中心として巻付けられ、前記第１水平軸線は、前記第２水平軸線に対して略垂直である、水平ラッピングステーション、
ｃ）ラッピングされていない複数のパレット化したパッケージ層を製造する少なくとも一つのパレッタイザーを持つ第２パレット化ステーション、
ｄ）前記水平ラッピングステーション及び前記第２パレット化ステーションの下流に配置されており且つこれらのステーションにアクセスできる積み重ねステーションであって、前記水平にラッピングした少なくとも一つのパレット化したパッケージ層及び前記ラッピングされていない複数のパレット化したパッケージ層を受け取り、前記ラッピングされていない複数のパレット化したパッケージ層を互いに及び前記水平にラッピングした少なくとも一つのパレット化したパッケージ層に積み重ねるリフトを含む、積み重ねステーション、及び
ｅ）前記ベースを保持し、前記水平にラッピングした少なくとも一つのパレット化したパッケージ層の底面に前記ベースを固定的に付与するベースアプリケーターを含む、システム。
【請求項４】
請求項３に記載のシステムにおいて、前記少なくとも一つの可撓性フィルム供給装置は、水平可撓性フィルム軸線に沿って配向されており、前記水平ラッピングステーションは、前記水平にラッピングした少なくとも一つのパレット化した層を、前記水平にラッピングしたパレット化した層の前記第１水平軸線及び前記第２水平軸線の一方が前記水平可撓性フィルム軸線と平行であるように再配向する回転装置を更に含む、システム。
【請求項５】
請求項２又は４に記載のシステムにおいて、前記水平ラッピングステーションは、第１水平ストレッチラッパー及びこの第１水平ストレッチラッパーの下流に配置された第２水平ストレッチラッパーを含み、前記回転装置はこれらの間に配置されている、システム。
【請求項６】
請求項１又は３に記載のシステムにおいて、前記ベースアプリケーターは、前記ベース用の使い捨て／リサイクル可能材料を提供する供給ステーションを含み、さらに、
ａ）前記使い捨て／リサイクル可能材料を受け取るトロリー、
ｂ）前記供給ステーションと前記積み重ねステーションとの間に配置され、前記ベースがその表面上に接着剤を受け取る接着剤ステーションであって、少なくとも一つの接着剤アプリケーター及び少なくとも一つの接着剤供給装置を含む、接着剤ステーション、及び
ｃ）前記使い捨て／リサイクル可能材料をスライスして前記ベースの多数のピースを形成する複数の高温ワイヤカッター、を含み、
ｄ）前記ベースアプリケーターは前記積み重ねステーションと隣接して配置されており、前記トロリーは前記供給ステーションと前記積み重ねステーションとの間で並進可能である、システム。
【請求項７】
請求項１又は３に記載のシステムにおいて、前記使い捨て／リサイクル可能パレットは、前記ベースのピース間に多数のチャンネルを有し、前記リフトは、前記ベースを前記チャンネル内で支持し且つ搬送する多数のコンベア部分を持つリフトプラットホームを含む、システム。
【請求項８】
使い捨て／リサイクル可能パレットによって支持されたパッケージでできた荷物を製造するための方法において、
ａ）少なくとも一つのパレット化ステーションにて、パッケージを、ラッピングされていない複数のパレット化したパッケージ層に配置する工程、
ｂ）水平ラッピングステーションのところで、前記ラッピングされていないパレット化したパッケージ層の少なくとも一つを可撓性フィルムで第１水平軸線及び第２水平軸線を中心としてラッピングし、水平にラッピングした少なくとも一つのパレット化したパッケージ層を製造し、前記第１水平軸線は前記第２水平軸線に対して略垂直である、工程、
ｃ）前記ラッピングされていない複数のパレット化したパッケージ層を前記水平にラッピングした少なくとも一つのパレット化したパッケージ層に積み重ね、前記パッケージでできた荷物を製造する工程、及び
ｄ）前記水平にラッピングした少なくとも一つのパレット化したパッケージ層の底面に使い捨て／リサイクル可能ベースを固定的に付与し、前記使い捨て／リサイクル可能パレットを製造する工程を含む、方法。
【請求項９】
前記ラッピングされていないパレット化したパッケージ層の少なくとも一つを可撓性フィルムで第１水平軸線及び第２水平軸線を中心としてラッピングし、水平にラッピングした少なくとも一つのパレット化したパッケージ層を製造する請求項８に記載の方法において、
ａ）前記ラッピングされていないパレット化したパッケージ層の少なくとも一つを可撓性フィルムで前記第１水平軸線を中心としてラッピングし、部分的にラッピングした層を製造する工程であって、前記可撓性フィルムは前記第１水平軸線と平行な水平可撓性フィルム軸線を含む、工程、
ｂ）前記水平可撓性フィルム軸線が前記第２水平軸線と平行であるように前記部分的にラッピングした層を再配向する工程、及び
ｃ）前記部分的にラッピングした層を可撓性フィルムで前記第２水平軸線を中心としてラッピングする工程、を備えた方法。
【請求項１０】
前記ラッピングされていないパレット化したパッケージ層の少なくとも一つを可撓性フィルムで第１水平軸線及び第２水平軸線を中心としてラッピングし、水平にラッピングした少なくとも一つのパレット化したパッケージ層を製造する請求項８に記載の方法において、
ａ）前記ラッピングされていないパレット化したパッケージ層の少なくとも一つを水平ストレッチラッパーからの可撓性フィルムで前記第１水平軸線を中心としてラッピングし、少なくとも一つの部分的にラッピングした層を製造する工程であって、前記可撓性フィルムは前記第１水平軸線と平行な水平可撓性フィルム軸線を含む、工程
ｂ）前記少なくとも一つの部分的にラッピングした層を下流に回転装置まで搬送する工程、
ｃ）前記少なくとも一つの部分的にラッピングした層を、前記回転装置を使用して、垂直軸線を中心として、前記水平可撓性フィルム軸線が前記第２水平軸線と平行であるように回転する工程、
ｄ）前記少なくとも一つの部分的にラッピングした層を上流に前記水平ストレッチラッパーまで搬送する工程、
ｅ）前記少なくとも一つの部分的にラッピングした層を前記水平ストレッチラッパーからの可撓性フィルムで前記第２水平軸線を中心としてラッピングする工程を含む、方法。
【請求項１１】
前記ラッピングされていないパレット化したパッケージ層の少なくとも一つを可撓性フィルムで第１水平軸線及び第２水平軸線を中心としてラッピングし、水平にラッピングした少なくとも一つのパレット化したパッケージ層を製造する請求項８に記載の方法において、
ａ）前記ラッピングされていないパレット化したパッケージ層の少なくとも一つを第１水平ストレッチラッパーからの可撓性フィルムで前記第１水平軸線を中心としてラッピングし、少なくとも一つの部分的にラッピングした層を製造し、前記可撓性フィルムは前記第１水平軸線と平行な水平可撓性フィルム軸線を含み、
ｂ）前記少なくとも一つの部分的にラッピングした層を下流に回転装置まで搬送する工程、
ｃ）前記少なくとも一つの部分的にラッピングした層を、前記水平可撓性フィルム軸線が前記第２水平軸線と平行であるように回転する工程、
ｄ）前記少なくとも一つの部分的にラッピングした層を下流に第２水平ストレッチラッパーまで搬送する工程、及び
ｅ）前記少なくとも一つの部分的にラッピングした層を第２水平ストレッチラッパーからの可撓性フィルムで前記第２水平軸線を中心としてラッピングする工程を含む、方法。
【請求項１２】
前記水平にラッピングした少なくとも一つのパレット化したパッケージ層の底面に使い捨て／リサイクル可能ベースを固定的に付与する請求項８に記載の方法において、
ａ）前記ベースを、使い捨て／リサイクル可能材料を含む供給ステーションから、前記水平にラッピングした少なくとも一つのパレット化したパッケージ層の底面の真下の位置に並進する工程、
ｂ）前記並進中、前記ベースの上面に接着剤を付与する工程、及び
ｃ）前記ベースの前記上面を前記水平にラッピングした少なくとも一つのパレット化したパッケージ層の前記底面に押し付ける工程を含む、方法。
【請求項１３】
前記水平にラッピングした少なくとも一つのパレット化したパッケージ層の底面に前記使い捨て／リフト可能ベースを固定的に付与する、請求項８に記載の方法において、
ａ）使い捨て／リサイクル可能材料を含む供給ステーションから、前記水平にラッピングした少なくとも一つのパレット化したパッケージ層の底面の真下の位置まで前記ベースを並進させる工程、
ｂ）前記並進中、前記ベースの上面を加熱する工程、及び
ｃ）前記水平にラッピングした少なくとも一つのパレット化したパッケージ層の前記底面に前記ベースの前記上面を押し付ける工程を含む、方法。
【請求項１４】
請求項１２に記載の方法において、
ａ）前記接着剤を前記ベースの上面に付与する前記工程を行う前に、前記使い捨て／リサイクル可能材料をスライスし、前記使い捨て／リサイクル可能材料の多数のピースを形成する工程、
ｂ）前記水平にラッピングした少なくとも一つのパレット化したパッケージ層の前記底面に前記ベースの前記上面を押し付けるとき、前記水平にラッピングしたパレット化したパッケージ層を持つリフトプラットホームを下方に並進する工程、及び
ｃ）前記水平にラッピングした少なくとも一つのパレット化したパッケージ層及びこれに固定的に接着された前記ベースを並進するため、前記リフトプラットホームを上方に並進する工程、をさらに含む、方法。
【請求項１５】
使い捨て／リフト可能パレットによって支持されたパッケージでできた荷物を製造するための方法において、
ａ）少なくとも一つのパレット化ステーションにて、パッケージを、ラッピングされていない複数のパレット化したパッケージ層に配置する工程、
ｂ）第１積み重ねステーションのところで、前記ラッピングされていないパレット化したパッケージ層のうちの少なくとも二つを積み重ねることによってラッピングされていないパレット化したパッケージ層の積み重ねを製造する工程、
ｃ）水平ラッピングステーションのところで、前記ラッピングされていないパレット化したパッケージ層の積み重ねを可撓性フィルムで第１水平軸線及び第２水平軸線を中心としてラッピングし、水平にラッピングしたパレット化したパッケージ層の積み重ねを製造する工程であって、前記第１水平軸線は前記第２水平軸線に対して略垂直である、工程、
ｄ）前記ラッピングされていない複数のパレット化したパッケージ層を前記水平にラッピングしたパレット化したパッケージ層の積み重ねに積み重ね、前記パッケージでできた荷物を製造する工程、及び
ｅ）前記水平にラッピングしたパレット化したパッケージ層の積み重ねの底面に使い捨て／リサイクル可能ベースを固定的に付与し、前記使い捨て／リサイクル可能パレットを製造する工程を含む、方法。